(57)【特許請求の範囲】
【請求項１】
自動車のワイヤハーネスを格納して保護するためのプロテクタを構成する第１のカバー部材と第２のカバー部材とを嵌合させるワイヤハーネスプロテクタのロック構造であって、
前記第１のカバー部材には、先端に係止突起を有する係止爪を形成し、
前記第２のカバー部材の外側面には、前記係止爪が挿入され、前記係止突起が係合する係合部を設け、
前記第１のカバー部材の係止爪に、当該係止爪と前記係合部との隙に起因する挿脱方向、及び前記係止爪に垂直な方向のがたつきを防止するリブを突設し、
前記リブは、前記係止爪の係止突起を有する面の基端部に設けられ、該リブの厚みが該係止突起に向けて狭窄しているとともに、
前記係止突起と前記係合部とが係合することにより、前記リブを備える前記係止爪は前記第２のカバー部材の外側面と前記係合部とに当接して、当該係止爪が前記係合部と前記第２のカバー部材の前記外側面とに挟まれた状態で、前記リブ及び前記係止突起により前記挿脱方向、及び前記係止爪に垂直な方向のがたつきが防止されることを特徴とするワイヤハーネスプロテクタのロック構造。
【請求項２】
自動車のワイヤハーネスを格納して保護するためのプロテクタを構成する第１のカバー部材と第２のカバー部材とを嵌合させるワイヤハーネスプロテクタのロック構造であって、
前記第１のカバー部材には、先端に係止突起を有する係止爪を形成し、
前記第２のカバー部材の外側面には、前記係止爪が挿入され、前記係止突起が係合する係合部を設け、
前記第１のカバー部材の係止爪に、当該係止爪と前記係合部との隙に起因する挿脱方向、及び前記係止爪に垂直な方向のがたつきを防止するリブを突設し、
前記リブは、前記係止爪の係止突起と反対側の面の基端部に設けられ、該リブの厚みが該係止突起に向けて狭窄しているとともに、
前記係止突起と前記係合部とが係合することにより、前記リブを備える前記係止爪は前記第２のカバー部材の外側面と前記係合部とに当接して、当該係止爪が前記係合部と前記第２のカバー部材の前記外側面とに挟まれた状態で、前記リブ及び前記係止突起により前記挿脱方向、及び前記係止爪に垂直な方向のがたつきが防止されることを特徴とするワイヤハーネスプロテクタのロック構造。
【発明の詳細な説明】
【０００１】
【発明の属する技術分野】
本発明はワイヤハーネスプロテクタのロック構造に関し、詳細には、ワイヤハーネスプロテクタを構成する部材同士の嵌合部のがたつきを防止するワイヤハーネスプロテクタのロック構造に関する。
【０００２】
【従来の技術】
従来、自動車の車体に設けられた一部のワイヤハーネスは、その長さ方向に沿った筒型等の形状を有するプロテクタに格納されている。例えば、図６に示すように、上壁１２０ａと左側壁１２０ｂ及び右側壁（図示外）とを備えた断面略コの字型のカバー部材１２０と、図示外の底壁及び右側壁と左側壁１２１ａとを備えた断面略コの字型のベース部材１２１とを組み付けることにより構成されたプロテクタ内にワイヤハーネスが格納されて、外側から保護されるようになっている。カバー部材１２０及びベース部材１２１は、相互を組み付けるための部材をそれぞれ備えている。具体的には、カバー部材１２０の左側壁１２０ｂには、略台形型の係止爪１４０が形成されており、当該係止爪１４０の表面１４０ａの先端部には、係止突起１４５が設けられている。また、ベース部材１２１の左側壁１２１ａには、前記係止突起１４５が係合するための係合壁１５５を備えた係止爪係合部１５０が設けられている。
【０００３】
そして、図７に示すように、係止爪１４０を係止爪係合部１５０に挿入し、係止爪１４０の先端部に設けられた係止突起１４５を係合壁１５５の底断面１５５ａに係合させる。また、図示しないが、カバー部材１２０に形成された複数の係止爪を、ベース部材１２１に設けられた複数の係止爪係合部の内、それぞれ対応する係止爪係合部に挿入し、係止爪に設けられた係止突起を各係合壁に係合させることにより、カバー部材１２０とベース部材１２１とが組み付けられて、プロテクタが構成されていた。
【０００４】
【発明が解決しようとする課題】
しかしながら、上記の従来技術では、カバー部材１２０とベース部材１２１とが半嵌合状態にならないように、カバー部材１２０の係止爪１４０に設けられた係止突起１４５と、ベース部材１２１に設けられた係止爪係合部１５０とが係合した状態で、両部材間に所定の隙間が確保されるように各部材が成形されている。そのため、係合後に係止突起１４５と係止爪係合部１５０とががたついて異音が発生したり、また部材に負荷がかけられた場合に係合部で強度が低下するという問題があった。
【０００５】
本発明は、上記課題を解決するためになされたものであり、構成部材の嵌合部のがたつきを防止することができるワイヤハーネスプロテクタのロック構造を提供することを目的とする。
【０００６】
【課題を解決するための手段】
上記目的を達成するために、請求項１に係る発明のワイヤハーネスプロテクタのロック構造は、自動車のワイヤハーネスを格納して保護するためのプロテクタを構成する第１のカバー部材と第２のカバー部材とを嵌合させるワイヤハーネスプロテクタのロック構造であって、前記第１のカバー部材には、先端に係止突起を有する係止爪を形成し、前記第２のカバー部材の外側面には、前記係止爪が挿入され、前記係止突起が係合する係合部を設け、前記第１のカバー部材の係止爪に、当該係止爪と前記係合部との隙に起因する挿脱方向、及び前記係止爪に垂直な方向のがたつきを防止するリブを突設し、前記リブは、前記係止爪の係止突起を有する面の基端部に設けられ、該リブの厚みが該係止突起に向けて狭窄しているとともに、前記係止突起と前記係合部とが係合することにより、前記リブを備える前記係止爪は前記第２のカバー部材の外側面と前記係合部とに当接して、当該係止爪が前記係合部と前記第２のカバー部材の前記外側面とに挟まれた状態で、前記リブ及び前記係止突起により前記挿脱方向、及び前記係止爪に垂直な方向のがたつきが防止されることを特徴とする。
【０００７】
この構成のワイヤハーネスプロテクタのロック構造では、先端に係止突起を有する係止爪を形成した第１のカバー部材と、その係止爪が挿入されて係止突起が係合する係合部が設けられた第２のカバー部材とを嵌合させる際、第１のカバー部材の係止爪に突設されたリブによって、係止爪と係合部との隙を埋めてがたつきを防止することができる。
【０００８】
【０００９】
また、リブは、第１のカバー部材の係止爪の係止突起を有する面の基端部に設けられ、その厚みが係止突起に向けて狭窄しているので、第１のカバー部材の係止爪先端に設けられた係止突起と、第２のカバー部材の係合部とが係合した状態で、係止突起とリブとで、より確実に係止爪と係合部とのがたつきを防止することができる。
【００１０】
また、請求項２に係る発明のワイヤハーネスプロテクタのロック構造では、自動車のワイヤハーネスを格納して保護するためのプロテクタを構成する第１のカバー部材と第２のカバー部材とを嵌合させるワイヤハーネスプロテクタのロック構造であって、前記第１のカバー部材には、先端に係止突起を有する係止爪を形成し、前記第２のカバー部材の外側面には、前記係止爪が挿入され、前記係止突起が係合する係合部を設け、前記第１のカバー部材の係止爪に、当該係止爪と前記係合部との隙に起因する挿脱方向、及び前記係止爪に垂直な方向のがたつきを防止するリブを突設し、前記リブは、前記係止爪の係止突起と反対側の面の基端部に設けられ、該リブの厚みが該係止突起に向けて狭窄しているとともに、前記係止突起と前記係合部とが係合することにより、前記リブを備える前記係止爪は前記第２のカバー部材の外側面と前記係合部とに当接して、当該係止爪が前記係合部と前記第２のカバー部材の前記外側面とに挟まれた状態で、前記リブ及び前記係止突起により前記挿脱方向、及び前記係止爪に垂直な方向のがたつきが防止されることを特徴とする。
【００１１】
この構成のワイヤハーネスプロテクタのロック構造では、リブは、係止爪の係止突起と反対側の面の基端部に設けられ、その厚みが係止突起に向けて狭窄しているので、第１のカバー部材の係止爪先端に設けられた係止突起と、第２のカバー部材の係合部とが係合した状態で、係止突起とリブとで、より確実に係止爪と係合部とのがたつきを防止することができる。
【００１２】
【発明の実施の形態】
以下、本発明を具体化した一実施形態について図面を参照して説明する。ここで、図１は、ワイヤハーネスプロテクタ１の分解斜視図である。図１に示すように、ワイヤハーネスプロテクタ１は、カバー部材１０とベース部材４０とを嵌合して構成されており、ワイヤハーネスを格納して保護するために自動車に設けられるものである。例えば、段差のあるフロアにクランク状に配設されるワイヤハーネスを格納、保護するために用いられる。カバー部材１０は、合成樹脂材料で一体成型されており、図１の横方向に延びる横方向部１１と、横方向部１１の図１での左側端部から上方に横方向部１１に対して略垂直に延設された屈曲部１２と、屈曲部１２の端部からさらに図１の手前方向に延設された図１の縦方向（奥行き方向）に延びる縦方向部１４と、横方向部１１の右側端部から下方に正面視円弧状に延設された屈曲部１３と、屈曲部１３の端部からさらに図１の奥行き方向に延設された図１の縦方向（奥行き方向）に延びる縦方向部１５とから構成されている。
【００１３】
横方向部１１は、所定厚を有し、平面視で図１の左右に長手の略長方形形状を有する上壁１１ａと、上壁１１ａの図１での手前側側縁から上壁１１ａの短辺寸法の略４分の１だけ下方に垂設された手前壁１１ｂと、奥行き側側縁から手前壁１１ｂと略同一寸法だけ下方に垂設された奥壁（図示外）とから構成されている。そして、横方向部１１の上壁１１ａの左側端部からは、屈曲部１２を構成する手前壁１２ａが、上方に向かって上壁１１ａに対して略垂直に延設されている。屈曲部１２は、この手前壁１２ａと、横方向部１１の奥壁（図示外）から図１の左方向へ延設されて形成された奥壁１２ｂとから構成されており、その図１での上下方向断面が略Ｌ字型となっている。この屈曲部１２により、横方向部１１と縦方向部１４とがつながっている。
【００１４】
さらに、屈曲部１２の奥壁１２ｂの上端部からは、図１の手前方向に向かって縦方向部１４の上壁１４ａが延設されている。上壁１４ａは、所定厚を有し、平面視で縦方向に長手の略長方形形状であり、屈曲部１２の奥壁１２ｂに対して略垂直となっている。即ち、縦方向部１４の上壁１４ａと横方向部１１の上壁１１ａとは略平行になっている。また、上壁１４ａの左右側縁からは、それぞれ左側壁（図示外）と右側壁１４ｂとが上壁１４ａの短辺寸法の略４分の１だけ下方に向かって垂設されており、縦方向部１４は、上壁１４ａと左側壁（図示外）及び右側壁１４ｂとから構成されている。
【００１５】
また、横方向部１１の上壁１１ａの図１での右側端部からは、屈曲部１３を構成する上壁１３ａが、下方に向かって円弧状に延設されている。上壁１３ａは、図１での平面視で横方向に長手の所定厚を有する略長方形形状の板を湾曲させた形状となっている。詳細には、正面視で略４分の１円を構成する円弧形状を有し、平面視及び側面視で略長方形形状を有している。屈曲部１３は、横方向部１１と同様に、その上壁１３ａの手前側側縁から上壁１３ａの短辺寸法の略４分の１だけ内側向き法線方向に垂設された手前壁１１ｂと、奥行き側側縁から内側向き法線方向に垂設された奥壁（図示外）とを備えており、上壁１３ａと手前壁１３ａ及び奥壁（図示外）とから構成されている。そして、この屈曲部１３により、横方向部１１と縦方向部１５とがつながっている。
【００１６】
さらに、屈曲部１３の図示外の奥壁の端部からは、図１の奥行き方向に向かって縦方向部１５の上壁１５ａが延設されている。上壁１５ａは、所定厚を有し、平面視で略長方形形状かつ図１の奥行き方向下向きに傾斜した第１の上壁部１５ａ１と、第１の上壁部１５ａ１の端部からさらに奥行き方向へ延設された、平面視略長方形形状かつ横方向部１１の上壁１１ａと略平行な第２の上壁部１５ａ２とから構成されている。また、上壁１５ａの左右側縁からは、それぞれ左側壁（図示外）と右側壁１５ｂとが上壁１５ａの短辺寸法の略４分の１だけ下方に垂設されており、縦方向部１５は、上壁１５ａと左側壁（図示外）及び右側壁１５ｂとから構成されている。
【００１７】
さらに、カバー部材１０の各側壁には、カバー部材１０とベース部材４０とを組み付けるために、ベース部材４０に設けられた複数の係止爪係合部に係合する係止突起を備えた係止爪が複数形成されている。横方向部１１では、その手前壁１１ｂの図１での左右方向略中央部に係止爪２０が、奥壁（図示外）の係止爪２０と対向する位置、即ち左右方向略中央部に係止爪２０と同形状の係止爪（図示外）がそれぞれ形成されている。係止爪２０は、手前壁１１ｂの下端からさらに下側に向かって延設されており、正面視下側が上底となった略台形形状となっている。また、係止爪２０の両脇にはスリットＳが形成されており、係止爪２０が図１の奥行き方向に撓み易くなっている。
【００１８】
また、図２に示すように、係止爪２０の外側面（図２での手前側面）２０ａの下側端部近傍には、係止突起３０が設けられている。係止突起３０は、側面視で、係止爪２０の外側面２０ａ側に下底を持つ台形を左右方向に引き延ばした形状を有しており、その図２における上側面及び下側面は、それぞれ外側面２０ａ方向及び下方向に傾斜した形状となっている。さらに、係止爪２０の外側面２０ａ上部の左右両端部には、リブ２５ａ，２５ｂが設けられている。リブ２５ａ，２５ｂは、側面視で、横方向部１１の上壁１１ａと手前壁１１ｂとの稜線の位置に直角部を持つ三角形形状、即ち、外側面２０ａ方向及び下方向に傾斜した斜辺を有する三角形形状となっている。そして、当該三角形を左右方向に、即ち前記稜線方向に引き延ばされた形状のリブ２５ａ，２５ｂが形成されている。尚、カバー部材１０には、この係止爪２０の他に複数の係止爪が形成されているが、何れの係止爪も係止爪２０と略同一形状を有しており、その外側面には、リブ２５ａ，２５ｂ及び係止突起３０と略同一形状のリブ及び係止突起が、各々に対応する係止爪に対して、係止爪２０とリブ２５ａ，２５ｂ及び係止突起３０との位置関係と略同一な位置関係となるように設けられている。
【００１９】
図１に示すように、縦方向部１４の右側壁１４ｂには、係止爪２１，２２が形成されている。詳細には、右側壁１４ｂの図１での手前側端部近傍に係止爪２１が、奥行き側端部近傍に係止爪２２がそれぞれ形成されている。係止爪２１，２２は、右側壁１４ｂの下端からさらに下側に向かって延設されており、係止爪２１，２２のそれぞれの両脇には、各係止爪の図１での左右方向への可撓性を高めるためのスリットＳが設けられている。そして、係止爪２１の外側面２１ａの先端には係止突起３１が、係止爪２２の外側面２２ａの先端には係止突起３２がそれぞれ設けられている。さらに、係止爪２１の外側面２１ａの上部奥行き方向両端部にはリブ２６ａ，２６ｂが、係止爪２２の外側面２２ａの上部奥行き方向両端部にはリブ２７ａ，２７ｂがそれぞれ設けられている。また、図示しないが、縦方向部１４では、その右側壁１４ｂに形成された係止爪２１，２２に対向して、左側壁（図示外）にも２つの係止爪が、係止爪２１，２２と左右対称になるように形成されている。
【００２０】
また、屈曲部１３の手前壁１３ｂの図１での右側端部近傍には、係止爪２３が形成されている。係止爪２３の右脇にもスリットＳが設けられており、係止爪２３の外側面２３ａには、リブ２８ａ，２８ｂ及び係止突起３３が設けられている。さらに、縦方向部１５の右側壁１５ｂの奥行き方向端部にも係止爪２４が形成されている。係止爪２４は、右側壁１５ｂの下端からさらに下側に向かって延設されており、その両脇にはスリットＳが設けられている。そして、係止爪２４の外側面２４ａには、リブ２９ａ，２９ｂ及び係止突起３４が設けられている。また、縦方向部１５では、その右側壁１５ｂに形成された係止爪２４に対向して、左側壁（図示外）にも係止爪が形成されている。
【００２１】
次に、カバー部材１０が覆設されるベース部材４０について説明する。ベース部材４０は、カバー部材１０を構成する横方向部１１、屈曲部１２，１３、縦方向部１４及び縦方向部１５にそれぞれ対応する横方向部４１、屈曲部４２，４３、縦方向部４４及び縦方向部４５で構成されている。詳細には、ベース部材４０は、図１の横方向に延びる横方向部４１と、横方向部４１の図１での左側端部から上方に横方向部１１に対して略垂直に延設された屈曲部４２と、屈曲部４２の端部からさらに図１の手前方向に延設された図１の縦方向（奥行き方向）に延びる縦方向部４４と、横方向部４１の右側端部から下方に正面視円弧状に延設された屈曲部４３と、屈曲部４３の端部からさらに図１の奥行き方向に延設された図１の縦方向（奥行き方向）に延びる縦方向部４５とから構成されている。そして、ベース部材４０は、その横方向部４１がカバー部材１０の横方向部１１に、屈曲部４２，４３が、カバー部材１０の屈曲部１２，１３に、縦方向部４４，４５がカバー部材１０の縦方向部１４，１５にそれぞれ覆われて、カバー部材１０との間に隙間ができないような形状に成形されている。
【００２２】
ベース部材４０の横方向部４１は、カバー部材１０の横方向部１１の上壁１１ａに対向する底壁（図示外）と、横方向部１１の２つの側壁に挟み込まれる手前側壁４１ａ及び手前壁４１ａと対向する奥壁４１ｂとから構成されている。手前壁４１ａと奥壁４１ｂとは略平行であり、各々が底壁に対して略垂直となっている。また、横方向部４１の手前壁４１ａ及び奥壁４１ｂは、カバー部材１０の横方向部１１の２つの側壁よりも図１での上下方向の長さが長くなっており、横方向部４１は、所定の深さを持った形状となっている。
【００２３】
そして、横方向部４１の底壁（図示外）の左側端部からは、屈曲部４２を構成する奥壁４２ａが、上方に向かって底壁に対して略垂直に延設されている。屈曲部４２は、この手前壁４２ａと、横方向部４１の手前壁４１ａから図１の左方向へ延設されて形成された手前壁４２ｂとから構成されており、その高さ方向断面が略Ｌ字型となっている。この屈曲部４２により、横方向部４１と縦方向部４４とがつながっている。
【００２４】
さらに、屈曲部４２の手前壁４２ｂの上端部からは、図１の手前方向に向かって縦方向部４４の底壁４４ａが延設されている。底壁４４ａは、所定厚を有し、平面視で縦方向に長手の略長方形形状であり、屈曲部４２の手前壁４２ｂに対して略垂直となっている。即ち、縦方向部４４の底壁４４ａと横方向部４１の底壁（図示外）とは略平行になっている。また、底壁４４ａの左右側縁からは、それぞれ右側壁４４ｂと左側壁４４ｃとが上方に向かって垂設されており、縦方向部４４は、底壁４４ａと右側壁４４ｂと左側壁４４ｃとから構成されている。
【００２５】
また、横方向部４１の底壁（図示外）の図１での右側端部からは、屈曲部４３を構成する底壁（図示外）が、下方に向かって円弧状に延設されている。屈曲部４３の底壁は、図１での平面視で横方向に長手の所定厚を有する略長方形形状の板を湾曲させた形状となっている。屈曲部４３は、その底壁の手前側側縁から上方に垂設された手前壁４３ａと、奥行き側側縁から上方に垂設された奥壁４３ｂとから構成されている。そして、この屈曲部４３により、横方向部４１と縦方向部４５とがつながっている。さらに、屈曲部４３の底壁（図示外）の図１での右側端部からは、奥行き方向に向かって縦方向部４５の底壁４５ａが延設されている。また、底壁４５ａの左右側縁からは、左側壁４５ｃと右側壁４５ｂとがそれぞれ上方に垂設されており、縦方向部４５は、底壁４５ａと右側壁４５ｂ及び左側壁４５ｃとから構成されている。
【００２６】
また、ベース部材４０の各側壁には、カバー部材１０とベース部材４０とを組み付けるために、カバー部材１０の側壁に設けられた係止爪が係合する係止爪係合部が複数設けられている。横方向部４１では、手前壁４１ａの外側面４１ａ１の図１における左右方向略中央部に、カバー部材１０の横方向部１１に形成された係止爪１４が係合する係止爪係合部５０が設けられている。図２に示すように、係止爪係合部５０は、図２での上下方向断面が略コの字型となっており、係止爪２０を挿入できるように上下方向に貫通されている。係止爪係合部５０は、当該係止爪係合部５０に挿入された係止爪２０を左右方向にがたつかないように保持する横方向保持部５０ａ，５０ｂと、手前壁４１ａと略平行になるように横方向保持部５０ａ，５０ｂ間に渡設された係合壁５０ｃとから構成されている。横方向保持部５０ａ，５０ｂは、手前壁４１ａに対して略垂直に突設されている。
【００２７】
また、係合壁５０ｃは、係止爪２０の板厚よりも僅かに大きい間隔を手前壁４１ａとの間に形成しており、係止爪２０が係止爪係合部５０に挿入された後、その図２の下側の底断面６５に係止爪２０に設けられた係止突起３０が係合するようになっている。尚、ベース部材４０には、この係止爪係合部５０の他に複数の係止爪係合部が形成されているが、何れの係止爪係合部も係止爪係合部５０と略同一形状を有している。
【００２８】
即ち、図１に示すように、ベース部材４０の縦方向部４４に設けられ、カバー部材１０の縦方向部１４に形成された４つの係止爪に対応する係止爪係合部５１〜５４、屈曲部４３に設けられ、カバー部材１０の屈曲部１３に形成された係止爪２３に対応する係止爪係合部５５、縦方向部４５に設けられ、カバー部材１０の縦方向部１５に形成された２つの係止爪に対応する係止爪係合部５７，５８の何れもが、係止爪係合部５０と略同一形状となっている。
【００２９】
次に、図２、図３及び図４を参照して、カバー部材１０の横方向部１１に形成された係止爪２０と、ベース部材４０の横方向部４１に設けられた係止爪係合部５０との係合部の構造について説明する。図２に示すように、係止爪２０と係止爪係合部５０とを係合させるには、まず、図中上側の係止爪２０を、その下側の係止爪係合部５０の横方向保持部５０ａ，５０ｂと係合壁５０ｃと手前壁４１ａとにより形成された空間に挿入する。その後、図３に示すように、横方向部１１の上壁１１ａを図の下方向に押圧して、係止爪２０先端の係止突起３０を、係止爪係合部５０の係合壁５０ｃの底断面６５に係合させる。
【００３０】
この状態、即ち横方向部１１の上壁１１ａを図の下方向に押圧した状態では、係止爪２０に設けられたリブ２５ｂによって、係止爪係合部５０の係合壁５０ｃが図３における左側に撓んでおり、係合壁５０ｃに当接したリブ２５ｂには、右側への押圧力がかかった状態となっている。リブ２５ｂの板厚は、図３の上方から下方に向かって狭窄しているので、板厚が大きな部分では係合壁５０ｃが撓み、板厚が小さな部分では係合壁５０ｃは殆ど撓まないことになる。従って、手前壁４１ａと共にリブ２５ｂ上部の大きな板厚部分を挟んだことにより、左側に撓んだ係合壁５０ｃは、図４に示すように、リブ２５ｂ上部の大きな板厚部分が上方に逃がされることによって、即ち係合壁５０ｃと手前壁４１ａとの間でリブ２５ｂ下部の小さな板厚部分を挟み込むことによって、その撓みが低減される。
【００３１】
このとき、係止爪２０の先端の係止突起３０と、係合壁５０ｃの底断面６５とが確実に係合した状態となっている。これにより、係止爪２０は、係合壁５０ｃの内側面６６と手前壁４１ａの外側面４１ａ１とに当接して、係合壁５０ｃと手前壁４１ａとに挟まれた状態で、リブ２５ｂ及び係止突起３０により上下方向へのがたつきが防止されている。また、図４の上方から上壁１１ａに下向きの負荷がかかった場合、係合壁５０ｃがリブ２５ｂの板厚が大きい部分により左側に押圧されても、同方向へ撓むことができるので、各部材の変形を緩和することができる。尚、図示しないが、リブ２５ｂの図３での奥方向のリブ２５ａもリブ２５ｂと同様の構造となっており、これら一対のリブ２５ａ，２５ｂによって上記効果が得られることは言うまでもない。
【００３２】
以下同様にして、カバー部材１０に形成された複数の係止爪を、それぞれベース部材４０に設けられた対応する係止爪係合部に係合させると、カバー部材１０とベース部材４０とが組み付けられてワイヤハーネスプロテクタ１が構成されるようになっている。そして、図示外のワイヤハーネスは、ワイヤハーネスプロテクタ１に格納されて、外側から保護されることになる。ワイヤハーネスプロテクタ１において、その各係止爪と各係止爪係合部とが係合した部分では、前述のようにがたつきが防止されており、さらに各部材の変形が緩和された形状となっているので、内部に格納されたワイヤハーネスも、確実に外側から保護された状態となる。
【００３３】
尚、本発明は前記実施の形態に限定されるものではなく、各種の変形が可能である。例えば、本実施の形態では、カバー部材１０において、その横方向部１１に形成された係止爪２０の係止突起３０が設けられた面、即ち表面２０ａにリブ２５ａ，２５ｂを設けていたが、係止爪２０の係止突起３０が設けられていない面、即ち裏面にリブを設けることも可能である。図５に示すように、係止爪２０の裏面２０ｂに、リブ２５ａ，２５ｂと同形状のリブ６９ａと、図５の奥行き方向に位置するリブ６９ａと一対の図示外のリブ（以下、「第２のリブ」という。）とを設けた場合、前述のリブ１９ａ，１９ｂにより係止壁５０ｃが左側に撓んだのとは異なり、リブ６９ａと第２のリブとにより、係止壁５０ｃに対向する手前壁４１ａが図５における右側に撓むことになる。そして、リブ６９ａ及び第２のリブの小さい板厚部分が、手前壁４１ａの外側面４１ａ１に当接し、係止爪２０が係合壁５０ｃの内側面６６に当接して、係止爪２０の上下方向へのがたつきが防止されるようになっている。
【００３４】
【発明の効果】
以上説明したように、請求項１に係る発明のワイヤハーネスプロテクタのロック構造では、先端に係止突起を有する係止爪を形成した第１のカバー部材と、その係止爪が挿入されて係止突起が係合する係合部が設けられた第２のカバー部材とを嵌合させる際、第１のカバー部材の係止爪に突設されたリブによって、係止爪と係合部との隙を埋めてがたつきを防止することができる。
【００３５】
また、リブは、第１のカバー部材の係止爪の係止突起を有する面の基端部に設けられ、その厚みが係止突起に向けて狭窄しているので、第１のカバー部材の係止爪先端に設けられた係止突起と、第２のカバー部材の係合部とが係合した状態で、係止突起とリブとで挿脱方向のがたつきをより確実に防止することができる。さらに、係止爪に挿入方向の負荷がかかった場合、係合部は係止爪によって押圧される方向へ撓むことができるので、各部材の変形を緩和することができる。
【００３６】
また、請求項２に係る発明のワイヤハーネスプロテクタのロック構造では、先端に係止突起を有する係止爪を形成した第１のカバー部材と、その係止爪が挿入されて係止突起が係合する係合部が設けられた第２のカバー部材とを嵌合させる際、第１のカバー部材の係止爪に突設されたリブによって、係止爪と係合部との隙を埋めてがたつきを防止することができる。また、リブは、係止爪の係止突起と反対側の面の基端部に設けられ、その厚みが係止突起に向けて狭窄しているので、第１のカバー部材の係止爪先端に設けられた係止突起と、第２のカバー部材の係合部とが係合した状態で、係止突起とリブとで挿脱方向のがたつきをより確実に防止することができる。さらに、係止爪に挿入方向の負荷がかかった場合、係合部は係止爪によって押圧される方向へ撓むことができるので、各部材の変形を緩和することができる。
【図面の簡単な説明】
【図１】  ワイヤハーネスプロテクタ１を構成するカバー部材１０及びベース部材４０を示す分解斜視図である。
【図２】  係止爪２０と係止壁５０ｃとの係合部を示す斜視図である。
【図３】  係止爪２０と係止壁５０ｃとが係合した状態を示す、図２のＡ−Ａ線矢視方向断面図である。
【図４】  係止爪２０と係止壁５０ｃとが係合した状態を示す、図２のＡ−Ａ線矢視方向断面図である。
【図５】  係止爪２０の変形例を示す断面図である。
【図６】  従来技術の係止爪１４０と係止爪係合部１５０との係合部を示す斜視図である。
【図７】  図６のＢ−Ｂ線矢視方向断面図である。
【符号の説明】
１    ワイヤハーネスプロテクタ
１０    カバー部材
２０    係止爪
２５ａ，２５ｂ  リブ
３０    係止突起
４０    ベース部材
５０    係止爪係合部
５０ａ，５０ｂ  横方向保持部
５０ｃ  係合壁
６５    底断面
６９ａ  リブ
【図１】
0004141131.tif 000002
【図２】
0004141131.tif 000003
【図３】
0004141131.tif 000004
【図４】
0004141131.tif 000005
【図５】
0004141131.tif 000006
【図６】
0004141131.tif 000007
【図７】
0004141131.tif 000008